(57)【要約】【課題】フェージングシミュレータにおけるクリッピング処理の状態を容易に把握でき、誤った測定を行う可能性を低減する。【解決手段】フェージングシミュレータ３０は、入力されるデータ信号Ｄａに対して所望のフェージング処理を施し、そのフェージング処理後のデータ信号ＤｂをＤ／Ａ変換器２３の桁数Ｎより多いＭ桁で出力するフェージング処理部３１と、そのフェージング処理部３１の出力データ信号Ｄｂに対してＮ桁で示される特定値を上限値とするクリップ処理を行い、そのクリップ処理して得られたデータ信号を出力するクリップ処理部３３と、クリップ処理部３３でクリップ処理されたデータの頻度を求めるクリップ頻度検出部３５と、クリップ頻度検出部３５の検出結果を表示する表示部４５と備えている。【選択図】図１
2010098650.tif 000002
【特許請求の範囲】
【請求項１】
入力されるデータ信号に対して所望のフェージング処理を施し、該フェージング処理後のデータ信号をＭ桁（Ｍは複数）で出力するフェージング処理部（３１）と、
前記フェージング処理部の出力データ信号に対して前記Ｍ桁より少ないＮ桁（Ｎは複数）で示される特定値を上限値とするクリップ処理を行い、該クリップ処理して得られたデータ信号を出力するクリップ処理部（３３）と、
前記クリップ処理部でクリップ処理されたデータの頻度を求めるクリップ頻度検出部（３５）と、
前記クリップ頻度検出部の検出結果を表示する表示部（４５）とを備えたフェージングシミュレータ。
【請求項２】
前記クリップ頻度検出部は、
前記クリップ処理部によってクリップ処理されたデータ信号のクリップ処理前の値と、前記上限値以上の所定のしきい値（Ｌａ〜Ｌｂ）とを比較するレベル比較手段（３６ａ〜３６ｃ）と、
前記レベル比較手段でデータ信号のクリップ処理前の値が前記所定のしきい値を越えた回数を計数する計数手段（３８ａ〜３８ｃ）と、
クリップ処理されたデータの頻度を、前記計数手段の計数結果に基づいて前記所定のしきい値を境界とするレベル範囲毎に求める頻度算出手段（４０）とを有していることを特徴とする請求項１記載のフェージングシミュレータ。
【請求項３】
前記表示部は、前記クリップ頻度検出部の検出結果の時間経過に対する変化を示すグラフを表示することを特徴とする請求項１または請求項２記載のフェージングシミュレータ。
【請求項４】
前記表示部は、前記クリップ頻度検出部の検出結果の時間経過に対する変化を示すグラフを前記レベル範囲毎の頻度の内訳が識別できる状態で表示することを特徴とする請求項２記載のフェージングシミュレータ。
【請求項５】
前記表示部は、前記クリップ頻度検出部の検出結果のうち指定された時間帯における前記レベル範囲毎の頻度をグラフで表示することを特徴とする請求項２記載のフェージングシミュレータ。
【請求項６】
試験用のデータ信号を出力するデータ信号発生部（２２）と、
前記データ信号を受けて所望のフェージング処理を施し、該フェージング処理後のデータ信号をＮ桁で出力するフェージングシミュレータ（３０）と、
前記フェージングシミュレータから出力されたＮ桁のデータ信号をアナログ信号に変換するＤ／Ａ変換器（２３）と、
前記Ｄ／Ａ変換器の出力信号を、試験対象の無線通信機器が受信可能な周波数帯に変換して出力する周波数変換部（２４）とを備えた無線通信機器試験システムにおいて、
前記フェージングシミュレータは、
入力される前記データ信号に対して所望のフェージング処理を施し、該フェージング処理後のデータ信号を前記Ｎ桁より多いＭ桁（Ｍは複数）で出力するフェージング処理部（３１）と、
前記フェージング処理部の出力データ信号に対して前記Ｎ桁で示される特定値を上限値とするクリップ処理を行い、該クリップ処理して得られたデータ信号を出力するクリップ処理部（３３）と、
前記クリップ処理部でクリップ処理されたデータの頻度を求めるクリップ頻度検出部（３５）と、
前記クリップ頻度検出部の検出結果を表示する表示部（４５）と備えていることを特徴とする無線通信機器試験システム。
【請求項７】
前記フェージングシミュレータの前記クリップ頻度検出部は、
前記クリップ処理部によってクリップ処理されたデータ信号のクリップ処理前の値と、前記上限値以上の所定のしきい値（Ｌａ〜Ｌｂ）とを比較するレベル比較手段（３６ａ〜３６ｃ）と、
前記レベル比較手段でデータ信号のクリップ処理前の値が前記所定のしきい値を越えた回数を計数する計数手段（３８ａ〜３８ｃ）と、
クリップ処理されたデータの頻度を、前記計数手段の計数結果に基づいて前記所定のしきい値を境界とするレベル範囲毎に求める頻度算出手段（４０）とを有していることを特徴とする請求項６記載の無線通信機器試験システム。
【請求項８】
前記フェージングシミュレータの前記表示部は、前記クリップ頻度検出部の検出結果の時間経過に対する変化を示すグラフを表示することを特徴とする請求項６または請求項７記載の無線通信機器試験システム。
【請求項９】
前記フェージングシミュレータの表示部は、前記クリップ頻度検出部の検出結果の時間経過に対する変化を示すグラフを前記レベル範囲毎の頻度の内訳が識別できる状態で表示することを特徴とする請求項７記載の無線通信機器試験システム。
【請求項１０】
前記前記フェージングシミュレータの表示部は、前記クリップ頻度検出部の検出結果のうち指定された時間帯における前記レベル範囲毎の頻度をグラフで表示することを特徴とする請求項７記載の無線通信機器試験システム。
【発明の詳細な説明】
【技術分野】
【０００１】
本発明は、無線通信機器の間で生じるフェージングを模擬的に与えた信号を生成するフェージングシミュレータにおいて、フェージング処理により生じるクリッピングの状態を測定者が把握でき、誤った測定を行わないようにするための技術に関する。
【背景技術】
【０００２】
無線通信機器の間で生じるフェージングを模擬的に与えた信号を生成するフェージングシミュレータでは、送信側と受信側とが単一の伝搬ルートで通信を行う際に、その一方側が移動端末で移動するような場合と、複数の異なる伝搬ルートを経て互いに干渉し合う電波で通信を行う場合（マルチパス）とがあるが、このマルチパスを模擬したフェージングの場合、入力信号に対してそれぞれ異なる遅延と減衰、および雑音の付加を行ってからそれらの信号を加算して得ている。
【０００３】
上記のように入力信号にフェージングを与えるフェージングシミュレータは、例えば次の特許文献１に開示されている。
【０００４】
【特許文献１】特開平１１−２８１６９７号公報
【発明の開示】
【発明が解決しようとする課題】
【０００５】
上記したようなマルチパスを模擬してフェージング処理されたデータ信号の振幅の最大値は、元の信号より大きくなる。
【０００６】
このフェージング処理された信号は、Ｄ／Ａ変換処理によりアナログ信号に変換されてから、試験対象の無線機器が送受信する高周波帯に変換される。
【０００７】
したがって、フェージング処理されたデータ信号を扱うＤ／Ａ変換器は、元のデータ信号のより桁数の多いダイナミックレンジの大きいものが必要とされるが、データのサンプリングレートが高速化してきているのに対し、その高速なサンプリングレート（クロックレート）に対応したＤ／Ａ変換器は桁数が制限されてしまい、現状では１０数ビットが限度となる。
【０００８】
特に、フェージング処理されたデジタル変調信号の実効値とピーク値の比（クレストファクタ）は大きくなる。そして、そのピーク値をＤ／Ａ変換器の桁数以下となるように入力信号のレベルを低下させてしまうと、送信信号の実効値（平均値）が低下してしまい、Ｓ／Ｎの低い信号で測定を行わなければならない。
【０００９】
そこで、一般的には、フェージング処理で得られた信号のピーク値が、Ｄ／Ａ変換器の桁数で決まる最大値を越える場合については、その最大値によるクリップ処理を行って、信号の実効値を大きく低下させない状態で測定することが行われている。
【００１０】
特に、基地局装置の機能を有する信号発生装置の信号発生部とＤ／Ａ変換器の間に外付けするような形式のフェージングシミュレータの場合には、出力するデータ信号の桁数をＤ／Ａ変換器の桁数に合わせる必要があり、上記クリッピング処理が必須となる。
【００１１】
ところが従来のフェージングシミュレータでは、実際に入力された信号についてのクリッピング処理がどのような頻度で行われているかを把握することができず、測定対象の無線機器にデータ誤りが発生した場合に、その無線機器に与える信号のＳ／Ｎが低いのか、クリッピングによるものか、フェージングによるものかを判別することが困難であり、誤った測定を行う可能性があった。
【００１２】
本発明は、この問題を解決し、フェージングシミュレータにおけるクリッピング処理の状態を容易に把握でき、誤った測定を行う可能性を低減されたフェージングシミュレータおよび無線通信機器試験システムを提供することを目的としている。
【課題を解決するための手段】
【００１３】
前記目的を達成するために、本発明の請求項１のフェージングシミュレータは、
入力されるデータ信号に対して所望のフェージング処理を施し、該フェージング処理後のデータ信号をＭ桁（Ｍは複数）で出力するフェージング処理部（３１）と、
前記フェージング処理部の出力データ信号に対して前記Ｍ桁より少ないＮ桁（Ｎは複数）で示される特定値を上限値とするクリップ処理を行い、該クリップ処理して得られたデータ信号を出力するクリップ処理部（３３）と、
前記クリップ処理部でクリップ処理されたデータの頻度を求めるクリップ頻度検出部（３５）と、
前記クリップ頻度検出部の検出結果を表示する表示部（４５）とを備えている。
【００１４】
また、本発明の請求項２のフェージングシミュレータは、請求項１記載のフェージングシミュレータにおいて、
前記クリップ頻度検出部は、
前記クリップ処理部によってクリップ処理されたデータ信号のクリップ処理前の値と、前記上限値以上の所定のしきい値（Ｌａ〜Ｌｂ）とを比較するレベル比較手段（３６ａ〜３６ｃ）と、
前記レベル比較手段でデータ信号のクリップ処理前の値が前記所定のしきい値を越えた回数を計数する計数手段（３８ａ〜３８ｃ）と、
クリップ処理されたデータの頻度を、前記計数手段の計数結果に基づいて前記所定のしきい値を境界とするレベル範囲毎に求める頻度算出手段（４０）とを有していることを特徴とする。
【００１５】
また、本発明の請求項３のフェージングシミュレータは、請求項１または請求項２記載のフェージングシミュレータにおいて、
前記表示部は、前記クリップ頻度検出部の検出結果の時間経過に対する変化を示すグラフを表示することを特徴とする。
【００１６】
また、本発明の請求項４のフェージングシミュレータは、請求項２記載のフェージングシミュレータにおいて、
前記表示部は、前記クリップ頻度検出部の検出結果の時間経過に対する変化を示すグラフを前記レベル範囲毎の頻度の内訳が識別できる状態で表示することを特徴とする。
【００１７】
また、本発明の請求項５のフェージングシミュレータは、請求項２記載のフェージングシミュレータにおいて、
前記表示部は、前記クリップ頻度検出部の検出結果のうち指定された時間帯における前記レベル範囲毎の頻度をグラフで表示することを特徴とする。
【００１８】
また、本発明の請求項６の無線通信機器試験システムは、
試験用のデータ信号を出力するデータ信号発生部（２２）と、
前記データ信号を受けて所望のフェージング処理を施し、該フェージング処理後のデータ信号をＮ桁で出力するフェージングシミュレータ（３０）と、
前記フェージングシミュレータから出力されたＮ桁のデータ信号をアナログ信号に変換するＤ／Ａ変換器（２３）と、
前記Ｄ／Ａ変換器の出力信号を、試験対象の無線通信機器が受信可能な周波数帯に変換して出力する周波数変換部（２４）とを備えた無線通信機器試験システムにおいて、
前記フェージングシミュレータは、
入力される前記データ信号に対して所望のフェージング処理を施し、該フェージング処理後のデータ信号を前記Ｎ桁より多いＭ桁（Ｍは複数）で出力するフェージング処理部（３１）と、
前記フェージング処理部の出力データ信号に対して前記Ｎ桁で示される特定値を上限値とするクリップ処理を行い、該クリップ処理して得られたデータ信号を出力するクリップ処理部（３３）と、
前記クリップ処理部でクリップ処理されたデータの頻度を求めるクリップ頻度検出部（３５）と、
前記クリップ頻度検出部の検出結果を表示する表示部（４５）と備えていることを特徴とする。
【００１９】
また、本発明の請求項７の無線通信機器試験システムは、請求項６記載の無線通信機器試験システムにおいて、
前記フェージングシミュレータの前記クリップ頻度検出部は、
前記クリップ処理部によってクリップ処理されたデータ信号のクリップ処理前の値と、前記上限値以上の所定のしきい値（Ｌａ〜Ｌｂ）とを比較するレベル比較手段（３６ａ〜３６ｃ）と、
前記レベル比較手段でデータ信号のクリップ処理前の値が前記所定のしきい値を越えた回数を計数する計数手段（３８ａ〜３８ｃ）と、
クリップ処理されたデータの頻度を、前記計数手段の計数結果に基づいて前記所定のしきい値を境界とするレベル範囲毎に求める頻度算出手段（４０）とを有していることを特徴とする。
【００２０】
また、本発明の請求項８の無線通信機器試験システムは、請求項６または請求項７記載の無線通信機器試験システムにおいて、
前記フェージングシミュレータの前記表示部は、前記クリップ頻度検出部の検出結果の時間経過に対する変化を示すグラフを表示することを特徴とする。
【００２１】
また、本発明の請求項９の無線通信機器試験システムは、請求項７記載の無線通信機器試験システムにおいて、
前記フェージングシミュレータの表示部は、前記クリップ頻度検出部の検出結果の時間経過に対する変化を示すグラフを前記レベル範囲毎の頻度の内訳が識別できる状態で表示することを特徴とする。
【００２２】
また、本発明の請求項１０の無線通信機器試験システムは、請求項７記載の無線通信機器試験システムにおいて、
前記フェージングシミュレータの表示部は、前記クリップ頻度検出部の検出結果のうち指定された時間帯における前記レベル範囲毎の頻度をグラフで表示することを特徴とする。
【発明の効果】
【００２３】
このように本発明では、クリップ処理部でクリップ処理されたデータの頻度を求め、その結果を表示する構成であるため、フェージングシミュレータにおけるクリッピング処理の状態を容易に把握でき、誤った測定を行う可能性を格段に低くすることができる。
【００２４】
また、上限値以上のしきい値とデータ信号のクリップ処理前の値とのレベル比較によってそのしきい値を境界とするレベル範囲毎にクリップ処理されたデータの頻度を求めるものでは、クリップ処理前のデータの値の状態をより詳しく把握でき、さらに誤った測定を行う可能性を低くすることができる。
【発明を実施するための最良の形態】
【００２５】
以下、図面に基づいて本発明の実施の形態を説明する。
図１は、本発明を適用した無線通信機器試験システム２０の全体構成を示している。
【００２６】
この無線通信機器試験システム２０は、被試験装置１と無線による通信が可能な擬似基地局装置の送信部２１と、それに外付けするフェージングシミュレータ３０とで構成されている。なお、送信部２１とフェージングシミュレータ３０が同一筐体内に一体的に構成された装置であってもよい。
【００２７】
送信部２１のデータ信号発生部２２は、試験に用いるＬ桁（例えばＬ＝Ｎ＝１４ビットでＮは後述のＤ／Ａ変換２３の桁数）のデータ信号Ｄａ（ベースバンド信号）を所定のビットレートで発生して、外付け型のフェージングシミュレータ３０に入力する。
【００２８】
なお、ここでは説明を簡単にするために、Ｌ＝Ｎ桁とし、データ信号Ｄａを０以上のＮ桁の単成分データとして扱うが、正負を含むＮ桁の単成分データあるいは、直交成分Ｉ、Ｑの各Ｎ桁のデータの場合であってもよい。また、フェージングシミュレータ３０に与えるデータ信号の桁数Ｌは必ずしもＤ／Ａ変換器２３の桁数Ｎに等しい必要はない（ただし後述するＭに対し、Ｍ＞Ｌ）。ただし、フェージングシミュレータ３０を用いないでデータ信号発生部２２からＤ／Ａ変換器２３へデータ信号を直接与える場合にはＬ＝Ｎとなる。
【００２９】
フェージングシミュレータ３０は、データ信号Ｄａをフェージング処理部３１で受け、フェージング条件設定部３２によって設定されたフェージング処理を施し、そのフェージング処理で得られたＭ桁のデータ信号Ｄｂを、クリップ処理部３３およびクリップ頻度検出部３５に出力する。なお、フェージング条件の設定処理は操作部４８の操作などによって行えるようになっている。
【００３０】
ここで、前記したように、フェージング処理でマルチパスが設定された場合、データ信号Ｄａに対してそれぞれ異なる遅延、減衰および雑音が付与され、それらが加算合成されてデータ信号Ｄｂが生成されることになる。このデータ信号Ｄｂの生成の際に、その実効値が元の桁数（Ｌ＝Ｎ）の範囲内に十分入るように全体の利得や各パスの減衰が設定されているが、パスが増えた分、合成されたデータ信号Ｄｂのレベルのダイナミックレンジは大きくなり、桁数（Ｌ＝Ｎ）の範囲に入らない成分も生じるので、フェージング処理部３１では得られるデータ信号Ｄｂに数桁の余裕を与えている（例えばＮ＜Ｍ＝１６ビット）。
【００３１】
これに対して、送信部２１のＤ／Ａ変換器２３の桁数はＭより少ないＮとなっているので、フェージング処理部３１から出力されたＭ桁のデータ信号Ｄｂをそのまま与えることはできない。
【００３２】
このために、クリップ処理部３３によりＭ桁のデータ信号Ｄｂに対するクリップ処理を行って、Ｄ／Ａ変換器２３が扱えるＮ桁のデータ信号Ｄｃに変換し、これを送信部２１のＤ／Ａ変換器２３に与える。
【００３３】
このクリップ処理は、最も単純には、Ｎ桁で表されるデータの最大値（２Ｎ−１）を上限値Ｌｍとし、この上限値Ｌｍと入力されるＭ桁のデータ信号Ｄｂの値を比較（Ｎ＋１〜Ｍ桁までに「１」があるか否かを調べる）し、この上限値Ｌｍを越えるデータ信号Ｄｂについては、そのデータを、上限値Ｌｍを表すデータ（この場合Ｎビット全て「１」のデータ）に変更して出力し、この上限値Ｌｍを越えないデータ信号Ｄｂについては、Ｍ桁のデータ信号Ｄｂのうち、最下位からＮ桁までのデータをそのまま出力する。
【００３４】
なお、ここでは上限値ＬｍをＮ桁で表されるデータの最大値（２Ｎ−１）に設定する場合について説明するが、デジタル値で上限値をクリップしてもアナログ信号に変換したときに内部のフィルタの応答特性により上限値を越える場合が生じ、それが問題になる場合には、そのフィルタの応答特性によるレベルの増減を見込んで上限値を変えてもよい。例えば、上限値ＬｍをＮ桁で表されるデータの最大値（２Ｎ−１）の１／２（−６ｄＢ）に設定してもよい。
【００３５】
このようにクリップ処理されたＮ桁のデータ信号Ｄｃは、送信部２１のＮ桁のＤ／Ａ変換器２３に入力されてアナログ信号Ａに変換され、周波数変換部２４に入力されて、試験対象の無線通信機器１が受信可能な周波数帯に変換され、試験対象の無線通信機器１に送信される。
【００３６】
一方、このフェージングシミュレータ３０には、クリップ処理部３３でクリップ処理されたデータ信号の頻度を求めるクリップ頻度検出部３５と、その検出結果を表示するための表示部４５が設けられている。
【００３７】
クリップ頻度検出部３５は、単にクリップ処理されたデータの数（頻度）だけでなく、そのデータのクリップ前の値がどのレベル範囲にあるか（つまりレベル分布）を把握できるように複数（ここでは３つ）のレベル比較器３６ａ、３６ｂ、３６ｃを有している。
【００３８】
各レベル比較器３６ａ〜３６ｃには、それぞれ異なるしきい値Ｌａ、Ｌｂ、Ｌｃがしきい値設定器３７により設定されている。
【００３９】
ここで、例えばしきい値Ｌａは、前記したクリップ処理部３３で用いた上限値Ｌｍ以上の値を用いる。例えば上限値Ｌｍに等しいしきい値Ｌａを基準（０ｄＢ）として設定され、しきい値Ｌｂにはその２倍の値２Ｌｍ（６ｄＢ）、しきい値Ｌｃにはさらにその２倍の値４Ｌｍ（１２ｄＢ）が設定されているものとする。なお、上限値を越える頻度についてのみ把握する場合には上限値Ｌｍに等しいしきい値Ｌａによるレベル比較器だけよく、６ｄＢ、１２ｄＢのレベル比較は不要である。また、しきい値を６ｄＢのみにしてもよく、その数をさらに増やす、例えば３ｄＢ単位に４段階にする等してもよい。
【００４０】
各レベル比較器３６ａ〜３６ｃは、例えば入力するデータ信号Ｄｂがそれぞれのしきい値Ｌａ、Ｌｂ、Ｌｃより大きいときパルスを１つ出力し、入力するデータ信号Ｄｂがそれぞれのしきい値Ｌａ、Ｌｂ、Ｌｃ以下のときにはパルスを出力しない。
【００４１】
このレベル比較器３６ａ〜３６ｃが出力するパルスはそれぞれ計数器３８ａ〜３８ｃによって計数され、その計数値Ｕａ〜Ｕｃが頻度算出部４０に入力される。したがって、この計数値Ｕａ〜Ｕｃは、前記した各しきい値Ｌａ〜Ｌｃを境界とするレベル範囲毎のクリップ処理されたデータの数（頻度）を示している。
【００４２】
つまり、クリップ前の値が０ｄＢ（上限値Ｌｍ）を越えるレベル範囲のデータ数がＵａ、クリップ前の値が６ｄＢを越えるレベル範囲のデータ数がＵｂ、クリップ前の値が１２ｄＢを越えるレベル範囲のデータ数がＵｃである。
【００４３】
なお、ここで、０ｄＢ、６ｄＢおよび１２ｄＢを越えるレベル範囲の各頻度を求めているが、０〜６ｄＢのレベル範囲のデータ数（Ｕａ−Ｕｂ）、６〜１２ｄＢのレベル範囲のデータ数（Ｕｂ−Ｕｃ）、１２ｄＢ以上のレベル範囲のデータ数Ｕｃから頻度を求めてもよい。
【００４４】
また、計数器３９は、各レベル比較器３６ａ〜３６ｃに入力されるデータ信号Ｄｂの数Ｗを計数し頻度算出部４０に入力する。
【００４５】
頻度算出部４０は、４つの計数器３８ａ〜３８ｃ、３９の出力に基づいて、クリップ処理されたデータの頻度を算出する。
【００４６】
この頻度の算出は、各計数器３８ａ〜３８ｃ、３９を一定時間Ｔ（例えば１秒）経過する毎にリセット信号Ｒでリセットし、そのＴ時間に得られる各計数出力Ｕａ〜Ｕｃ、Ｗを求めて図示しないメモリに順次記憶し、各しきい値を境界とするレベル範囲毎の頻度Ｈａ〜Ｈｃを次のように求める。
【００４７】
Ｈａ＝Ｕａ／Ｗ
Ｈｂ＝Ｕｂ／Ｗ
Ｈｃ＝Ｕｃ／Ｗ
【００４８】
平均値算出部４１は、上記のようにして得られた単位時間当たりのクリップ頻度に対する平均化演算を行う。
【００４９】
例えば、単位時間（この場合１秒）当たりの頻度Ａａ（１）〜Ａｃ（１）と、その頻度についての所定時間、例えば１０秒、６０秒の移動平均Ａａ（１０）〜Ａｃ（１０）、Ａａ（６０）〜Ａｃ（６０）を算出する。
【００５０】
この上記のようにして得られたレベル範囲毎の頻度あるいは平均値算出部４１で得られた各頻度の移動平均は、表示部４５の表示制御部４５ａに入力され、操作部４８によって指定された表示形態でクリップ頻度の情報が表示器４５ｂに表示される。
【００５１】
例えば、数値一覧表示が指定された場合には、図２のように、単位時間当たりのクリップの平均と移動平均が一覧表示される。
【００５２】
これらの表示を確認することで、クリップされたデータの頻度が全体でどの程度あり、クリップ前の値の割合も容易に把握することができる。
【００５３】
したがって、例えば０ｄＢを越える範囲のクリップ頻度が異常に小さい場合には、データ信号Ｄｃの実効値が低下している可能性があり、それによるＳ／Ｎ低下に起因して測定対象の無線通信機器１での誤りが多く発生する可能性が高いと判断することができる。この場合、例えばフェージング処理部３１の利得を上げる調整を行うことで正しい測定を行うことができる。
【００５４】
また、逆に例えば０ｄＢを越える範囲のクリップ頻度が異常に大きい場合には、データ信号Ｄｃの実効値がクリップレベル（上限値）に近くなっている可能性があり、そのクリップによるデータの誤りが多く発生して測定対象の無線通信機器１で誤りが多く発生する可能性が高いと判断することができる。この場合、例えばフェージング処理部３１の利得を下げる調整を行うことで正しい測定を行うことができる。
【００５５】
また、上記のような数値の一覧表示だけでなくグラフ表示も可能になっている。例えば、クリップ前の値が０ｄＢを越えるクリップ頻度Ｈａの時間変動表示が指定された場合、図３に示すように、各時間（Ｔあるいはその整数倍）の０ｄＢを越える頻度Ｈａの時間変動が棒グラフ表示される。なお、他のレベル範囲のクリップ頻度Ｈｂ、Ｈｃのグラフも指定可能であり、それらを同一画面に時間軸を揃えて並べて表示してもよい。
【００５６】
また、ある時間帯の個別頻度表示を指定すると、図４のように、指定された時間帯における各レベル範囲のクリップ頻度Ｈａ、Ｈｂ、Ｈｃを棒グラフ表示する。
【００５７】
また、全クリップ頻度の時間変動表示が指定されると、図５のように、各時間の各レベル範囲毎のクリップ頻度が内訳表示された棒グラフが表示される。
【００５８】
このようにグラフ化された表示を確認することで、クリップの頻度の状態をより直感的に把握することができ、しかも、そのクリップ前の値の分布も容易に把握できる。
【００５９】
上記説明では、Ｎ桁のデータ信号を０以上の単成分として説明していたが、正負の符号を含めてその絶対値がＮ桁で表されるデータ信号の場合には、上記クリップ処理および表示処理を絶対値に対して行えばよい。
【００６０】
また、直交するＩ成分とＱ成分のデータをデータ信号発生部２２からそれぞれＮ桁で生成している場合、上記クリップ処理を、Ｉ成分とＱ成分についてそれぞれ行う。この場合、例えば図６の（ａ）のように、データ信号ＤｂのＩ成分ＩｂとＱ成分Ｑｂで決まる位相角φを維持し、両成分の振幅が上限値Ｌｍ以下となるようなデータ信号ＤｃのＩ成分Ｉｃ′とＱ成分Ｑｃ′とを出力するのが理想的である。
【００６１】
ただし、この場合位相角φの演算が必要となり、処理が複雑化する。また振幅がクリップされている部分は復調時にエラーが発生する部分であるから、位相を正しく保持しないでもよい場合も考えられる。
【００６２】
したがって、例えば図６の（ｂ）のように、単純にデータ信号ＤｂのＩ成分ＩｂとＱ成分Ｑｂのうち、上限値Ｌｍを越えているＩ成分Ｉｂの値を上限値Ｌｍと等しくなるＩ成分Ｉｂ′に変更する処理を行ってもよい。この場合、位相が元の値φからφ′に変化してしまうが、位相角φの演算が不要で、処理が極めて簡単となり、装置構成上でのメリットは大きい。
【００６３】
なお、上記のようにＩ成分とＱ成分からなるデータ信号を扱う場合、クリップ頻度は、成分毎に前記同様に各レベル範囲について頻度を求めてその結果を表示すればよい。この表示は、Ｉ成分とＱ成分のどちらか一方のクリップ頻度を選択的に表示してもよく、Ｉ成分とＱ成分の両方のクリップ頻度を並べて表示してもよい。また、Ｉ成分とＱ成分のクリップ頻度で論理和をとり（つまりＩ成分とＱ成分とがともにクリップされた場合の数を検出し）、その結果を表示してもよい。
【００６４】
なお、上述の例では、データ信号発生部２２が発生するデータ信号の桁数ＬがＮに等しいとして説明したが、前記したように、Ｌは必ずしもＤ／Ａ変換器２３の桁数Ｎに等しい必要はなく、フェージングシミュレータ３０の入力として許容される桁数の範囲内であればよい。
【図面の簡単な説明】
【００６５】
【図１】本発明の実施形態の構成を示す図
【図２】実施形態の測定結果の表示例を示す図
【図３】実施形態の測定結果の表示例を示す図
【図４】実施形態の測定結果の表示例を示す図
【図５】実施形態の測定結果の表示例を示す図
【図６】Ｉ、Ｑ直交成分に対するクリップ処理の方法を示す図
【符号の説明】
【００６６】
２０……無線通信機器試験システム、２１……送信部、２２……データ信号発生部、２３……Ｄ／Ａ変換器、２４……周波数変換部、３０……フェージングシミュレータ、３１……フェージング処理部、３２……フェージング条件設定部、３３……クリップ処理部、３５……クリップ頻度検出部、３６ａ〜３６ｃ……レベル比較器、３７……しきい値設定器、３８ａ〜３８ｃ、３９……計数器、４０……頻度算出部、４１……平均値算出部、４５……表示部、４８……操作部
【図１】
2010098650.tif 000003
【図２】
2010098650.tif 000004
【図３】
2010098650.tif 000005
【図４】
2010098650.tif 000006
【図５】
2010098650.tif 000007
【図６】
2010098650.tif 000008